(57)【要約】【課題】  色変換処理におけるグレイと彩度の良好な再現を目的とする。【解決手段】  出力色域の白色点から黒色点の間の明度範囲をハイライト部、中間明度部およびシャドウ部に分割する。そして、白色点の色度、所定のグレイの色度および黒色点の色度に基づき、ハイライト部、中間明度部およびシャドウ部それぞれにおける変換データのグレイラインを設定する(S1001〜S1003)。出力色域の最大彩度点より明度が低いシャドウ領域の色域境界の形状に基づき、中間明度部およびシャドウ部のグレイラインを補正する(S1004〜S1007)。【選択図】  図19
2009038592.tif 000002
【特許請求の範囲】
【請求項１】
入力色域の色信号を出力色域にマッピングする変換データを作成する色処理装置であって、
前記出力色域の白色点から黒色点の間の明度範囲をハイライト部、中間明度部およびシャドウ部に分割する分割手段と、
前記白色点の色度、所定のグレイの色度および前記黒色点の色度に基づき、前記ハイライト部、前記中間明度部および前記シャドウ部それぞれにおける前記変換データのグレイラインを設定する設定手段と、
前記出力色域の最大彩度点より明度が低いシャドウ領域の色域境界の形状に基づき、前記中間明度部および前記シャドウ部における前記グレイラインを補正する補正手段とを有することを特徴とする色処理装置。
【請求項２】
前記補正手段は、前記シャドウ領域における色域境界の形状のくびれにより、前記グレイラインと前記色域境界の間が狭い明度領域を補正範囲とし、前記補正範囲における前記グレイラインの色度を、前記黒色点の色度に近付けるように補正することを特徴とする請求項1に記載された色処理装置。
【請求項３】
さらに、前記ハイライト部と前記中間明度部の境界、前記中間明度部と前記シャドウ部の境界、前記補正範囲のユーザ指示を入力して、前記補正手段による補正後のグレイラインを調整する調整手段を有することを特徴とする請求項2に記載された色処理装置。
【請求項４】
さらに、前記設定手段によるグレイラインの設定結果、前記補正手段によるグレイラインの補正結果、および、前記調整手段によるグレイラインの調整結果を表示する表示手段を有することを特徴とする請求項3に記載された色処理装置。
【請求項５】
前記表示手段は、ユーザが指定する入力画像を、前記グレイラインの設定結果、前記グレイラインの補正結果、または、前記グレイラインの調整結果に基づく変換データで変換したプレビュー画像を表示することを特徴とする請求項4に記載された色処理装置。
【請求項６】
さらに、前記グレイラインの補正結果または調整結果に基づき、前記変換データを作成する作成手段を有することを特徴とする請求項3から請求項5の何れか一項に記載された色処理装置。
【請求項７】
入力色域の色信号を出力色域にマッピングする変換データを作成する色処理方法であって、
前記出力色域の白色点から黒色点の間の明度範囲をハイライト部、中間明度部およびシャドウ部に分割し、
前記白色点の色度、所定のグレイの色度および前記黒色点の色度に基づき、前記ハイライト部、前記中間明度部および前記シャドウ部それぞれにおける前記変換データのグレイラインを設定し、
前記出力色域の最大彩度点より明度が低いシャドウ領域の色域境界の形状に基づき、前記中間明度部および前記シャドウ部のグレイラインを補正することを特徴とする色処理方法。
【請求項８】
コンピュータ装置を制御して、請求項1から請求項6の何れか一項に記載された色処理装置の各手段として機能させることを特徴とするコンピュータプログラム。
【請求項９】
請求項8に記載されたコンピュータプログラムが記録されたことを特徴とするコンピュータが読み取り可能な記憶媒体。
【発明の詳細な説明】
【技術分野】
【０００１】
本発明は、入力色域の色信号を出力色域にマッピングする変換データを作成する色処理に関する。
【背景技術】
【０００２】
カラー画像における無彩色の印刷や白黒画像の印刷には黒色の色材を使う。しかし、黒色の色材（以下、K色材）のみで画像形成すれば、K色材の色特性によって印刷画像の色がほぼ決まり、印刷画像の色を好ましく再現するような制御はできない。そこで、無彩色や白黒画像の印刷には、K色材に加えて、シアンC、マゼンタM、イエローYなどの色材を利用した、所謂コンポジットブラックによる画像形成を行う。とくに、写真画像の印刷においては、画像を表現する白黒信号値に対応する印刷色（以下、グレイライン）を適切に設定することで、印刷画像の好ましい色再現を制御することができる。
【０００３】
このようなグレイラインの好ましい色再現に関しては次の先行技術が存在する。
【０００４】
画像の忠実再現を目的とする特許文献1は、白色点と黒色点の間の所定のグレイ再現色度座標を通るように、グレイラインを曲線的に設定する発明を記載する。
【０００５】
特許文献2は、予め定義された標準グレイラインについてパッチ画像を出力し、パッチ画像の測色値から、出力色域外となった標準グレイラインの再現点を出力色域内に補正する発明を記載する。
【０００６】
特許文献3は、白色点と黒色点の間の中間領域のグレイ座標について、所定のグレイ再現座標を維持するとともに、白色点または黒色点と所定のグレイ再現座標間を線形に結んでグレイラインを設定する発明を記載する。
【０００７】
画像の忠実再現を目的とする特許文献4は、白色点の色度座標、グレイ再現色度座標、黒色点の色度座標を同一象限に配置されるように、白色点および黒色点の色度座標を設定し、グレイラインを設定する発明を記載する。
【０００８】
上記の先行技術はそれぞれ、グレイを好ましく再現するための、言い換えればグレイライン単体を設定する発明であり、グレイラインと出力色域（とくに色域境界）の関係については考慮しない。なお、特許文献2は、上述したように、出力色域を参照するが、元々出力色域と無関係に定義された標準グレイラインを出力色域内に設定するために参照するだけである。
【０００９】
また、インクジェトプリンタは、色材として染料インクが主流であったが、顔料インクを用いる場合も増えた。なお、電子写真プリンタは色材（トナー）に顔料を使用する。染料インクによる出力色域の明度-彩度断面の形状は、有彩色の最大彩度から白色のハイライト領域、および、有彩色の最大彩度から黒色のシャドウ領域について、概ね色域の外に向かって凸形状を示す。一方で、顔料インクによる出力色域の明度-彩度断面の形状は、有彩色の最大彩度から黒色のシャドウ領域において、明度が低下するに伴ない再現彩度が極端に小さくなる傾向を示す。言い換えれば、顔料インクによるシャドウ領域は、色域の内側の凹んだ形状、言い換えればくびれる傾向がある。
【００１０】
従って、顔料インクまたはトナーを使用するプリンタにおいては、グレイラインの再現にのみ着目すると、シャドウ領域の極端に小さい出力色域の境界とグレイラインの間が狭まる可能性がある。そうなれば、入力色域のグレイラインから色域境界に向かう彩度変化は、とくにシャドウ領域で圧縮写像され、出力画像における彩度変化は著しく損なわれる。
【００１１】
【特許文献１】特開2002-118762公報
【特許文献２】特開2004-015678公報
【特許文献３】特開2004-187146公報
【特許文献４】特開2004-320190公報
【発明の開示】
【発明が解決しようとする課題】
【００１２】
本発明は、色変換処理におけるグレイと彩度の良好な再現を目的とする。
【課題を解決するための手段】
【００１３】
本発明は、前記の目的を達成する一手段として、以下の構成を備える。
【００１４】
本発明は、入力色域の色信号を出力色域にマッピングする変換データを作成する際に、前記出力色域の白色点から黒色点の間の明度範囲をハイライト部、中間明度部およびシャドウ部に分割し、前記白色点の色度、所定のグレイの色度および前記黒色点の色度に基づき、前記ハイライト部、前記中間明度部および前記シャドウ部それぞれにおける前記変換データのグレイラインを設定し、前記出力色域の最大彩度点より明度が低いシャドウ領域の色域境界の形状に基づき、前記中間明度部および前記シャドウ部のグレイラインを補正することを特徴とする。
【発明の効果】
【００１５】
本発明によれば、色変換処理におけるグレイと彩度の良好な再現を得ることができる。
【発明を実施するための最良の形態】
【００１６】
以下、本発明にかかる実施例の色処理を図面を参照して詳細に説明する。
【実施例１】
【００１７】
[装置の構成]
【００１８】
図1は実施例の色処理装置10の構成例を示すブロック図である。
【００１９】
CPU101は、RAM103をワークメモリとして、ROM102に記憶された制御プログラム、オペレーティングシステム(OS)、アプリケーションプログラム(AP)、カラーマッチングモジュール(CMM)、デバイスドライバなどを実行する。そして、システムバス109を介して各構成を制御する。なお、ROM102は、処理や制御に必要な様々な情報やデータも記憶する。
【００２０】
入力インタフェイス(I/F)107は、入力デバイス11を接続するインタフェイスである。入力デバイス11は、CCDなどのイメージセンサを含むスキャナなどの画像読取装置、ディジタルカメラである。また、入力デバイス11として測色装置を接続すれば、カラーチャートを読み取った色空間情報を入力して、任意の色変換用の変換データ（以下、プロファイル）を作成することができる。出力I/F108は、出力デバイス12を接続するインタフェイスである。出力デバイス12は、インクジェット方式、熱転写方式、電子写真方式のプリンタなどの画像出力装置である。汎用I/F104は、キーボードやマウスなどの入力機器である操作部14を接続するインタフェイスである。これらI/Fには、例えばUSBなどのシリアルバスインタフェイスを利用することができる。
【００２１】
画像処理部105は、後述するグレイライン補正やプロファイル作成を含む各種画像処理を行う。ビデオI/F106は、モニタ13を接続するインタフェイスである。CPU101は、画像処理部105の処理経過や結果、ユーザインタフェイス(UI)、UIに対する操作部14からの入力などをモニタ13に表示する。
【００２２】
［画像処理部］
以下では、入力デバイス11から入力されるカラー画像信号を出力デバイス12の画像信号に変換するプロファイルの作成を説明する。詳細は後述するが、プロファイルの作成にはグレイラインの再現補正が含まれる。
【００２３】
図2は画像処理部105の一部構成を示すブロック図である。画像処理部105は、グレイラインの再現補正を行うグレイライン写像パラメータ作成部201と、任意の入力色空間の入力情報を出力色空間に写像し、色補正プロファイルを作成するプロファイル作成部202を備える。
【００２４】
入力色域記憶部204は、モニタ13や入力デバイス11の色域に関する入力色空間情報を記憶する。プリンタ色域記憶部205は、出力デバイス12の色再現域情報を記憶する。
【００２５】
●写像パラメータ作成部
写像パラメータ作成部201は、プリンタ色域記憶部205と入力色域記憶部204が記憶する色再現域情報と入力色空間情報を参照して、入力デバイス11の色域の色を出力デバイス12の色域に写像する色域写像パラメータを算出する。その際、写像パラメータ作成部201は、プリンタ出力色情報（CMYKデータ）と入力色情報（RGBデータ）を、CIELab色空間やJCh色空間に代表される均等表色系の色空間に変換し、均等表色系色空間上において色域写像パラメータを決定する。なお、以下では、入力デバイス11の色域を「入力色域」、出力デバイス12の色域を「出力色域」と呼ぶ。
【００２６】
図2に示す写像パラメータ作成部201の構成は、色域写像パラメータの一部であるグレイラインの写像目標パラメータを算出する構成を示している。
【００２７】
グレイ設定情報記憶部206は、UIに従って操作部14から入力された、グレイラインの再現補正におけるグレイラインの設定に必要な各種パラメータを入力し、記憶する。あるいは、ROM102に格納されたグレイラインの設定に必要な各種パラメータを入力してもよい。グレイ設定情報記憶部206が記憶する各種パラメータには、後述するグレイラインの初期値を設定するための設計データが含まれる。
【００２８】
グレイ補正パラメータ作成部208は、プリンタ色域記憶部205と入力色域記憶部204が記憶する色再現域情報と入力色空間情報を参照する。そして、グレイ設定情報記憶部206が記憶する各種パラメータに基づき、入力色域における無彩色信号を、出力色域において好ましいグレイ再現になるような均等表色系色空間のグレイラインの写像目標座標を決定する。
【００２９】
さらに、グレイ補正パラメータ作成部208は、色域形状解析部207が解析した入力色域と出力色域の境界情報を参照する。そして、出力色域のシャドウ領域におけるグレイと色域境界の間の彩度の再現性を向上するため、グレイラインの写像目標座標を黒色点座標に補正すべき領域を決定し、写像目標座標を補正する。
【００３０】
そして、グレイ補正パラメータ作成部208は、グレイラインの写像目標座標を写像目標パラメータとしてグレイ補正パラメータ格納部209に格納する。
【００３１】
●プロファイル作成部
プロファイル作成部202は、均等表色系としてL*a*b*色空間を用いて写像動作を行う。プロファイル作成部202は、CPU101によって、入力色域の入力色空間情報と出力色域の色再現域情報をそれぞれ入力色域記憶部204とプリンタ色域記憶部205に格納されると、プロファイル作成する。画像処理部105は、プロファイル記憶部212から読み出したプロファイルに基づき、入力デバイス11のデータを出力デバイス12のデータに変換する。
【００３２】
色域写像部210は、入力色域の色信号を出力色域の色信号に写像する写像パラメータを計算する。つまり、入力色域記憶部204の入力色空間情報、プリンタ色域記憶部205の色再現域情報、写像パラメータ作成部201が作成した色域写像パラメータを参照して、好ましい色再現で入力色域を出力色域に写像する写像パラメータを計算する。色域写像部210が参照する色域写像パラメータには、グレイ補正パラメータ格納部209のグレイラインの写像目標パラメータが含まれる。色域写像部210は、写像パラメータの算出が終了すると、入力色域を出力色域に写像する。
【００３３】
プロファイル作成部211は、色域写像部210による写像結果の写像色域を参照して、入力色空間情報を色再現域情報に変換するプロファイルを作成して、プロファイル記憶部212へ格納する。
【００３４】
［グレイラインの再現補正］
●グレイラインの初期値
グレイ補正パラメータ作成部208は、まず、出力色域の形状に依存しないグレイラインの設定方法によって、グレイラインの初期値を決定する。
【００３５】
図3はa*b*平面に投影されたグレイラインの軌跡を模式的に示す図である。白色点Wは、無彩色信号GLの最大値（白信号）に対応する印刷色の色度点である。黒色点Kは、無彩色信号GLの最小値（黒信号）に対応する印刷色の色度点である。通常、白色点Wは紙白の色度点であり、黒色点Kは出力デバイス12と記録紙によって再現可能な最小明度の色度点である。また、グレイ点Gは、好ましいグレイの色度点である。
【００３６】
図3に示すように、白色点Wから黒色点Kに至るグレイラインが記録媒体の無彩色再現として好ましい色度点（グレイ点G）を通過するように、画像信号を処理してグレイラインの初期値を決定する。グレイ点Gは、記録媒体の種類によって異なり、主に、記録媒体の白色点Wに基づき決定される。
【００３７】
図4はL*a*平面に投影されたグレイラインの軌跡を模式的に示す図である。白色点Wの明度Lwは、無彩色信号GLの最大値（白信号）に対応する印刷色の明度である。黒色点Kの明度Lkは、無彩色信号GLの最小値（黒信号）に対応する印刷色の明度である。通常、明度Lwは紙白の明度であり、明度Lkは出力デバイス12と記録紙によって再現可能な最小明度である。
【００３８】
図5はグレイ補正パラメータ作成部208の構成例を示すブロック図、図6はグレイラインの初期値の設定を説明するフローチャートである。
【００３９】
グレイ補正パラメータ作成部208は、入力色域記憶部204の入力色空間情報と、プリンタ色域記憶部205の色再現域情報を取得し、グレイ特性格納部310に格納する(S601)。
【００４０】
次に、グレイ補正パラメータ作成部208は、出力デバイス12が使用する記録媒体の種類を示す情報を操作部14から取得する。そして、グレイ設定情報記憶部206に格納されている記録媒体の種類に応じた設計データ（後述）をグレイ設定データ格納部303に格納する(S602)。
【００４１】
明度範囲設定部304は、グレイラインの初期値を設定するために、明度領域を境界明度LguとLglで分割する(S603)。図4に示す明度範囲Lw〜Lguはハイライト部であり、明度範囲Lgl〜Lkはシャドウ部である。ハイライト部とシャドウ部に挟まれた領域Lgu〜Lglは中間明度部である。境界明度点903および907、並びに、中間明度部の明度点904〜906は、グレイ点Gの色度をもつ。さらに、ハイライト部には白色点Wとグレイ点Gの中間の色度点802に対応する明度点902を、シャドウ部には黒色点Kとグレイ点Gの中間に色度点804に対応する明度点908を設定する。
【００４２】
中間明度部（Lgu〜Lgl）の無彩色信号の色度を、グレイ点Gの色度値に変換するように画像処理を行えば、好ましいグレイラインの再現が可能になる。
【００４３】
図4において、中間明度部の範囲が広い場合、つまり差分Lgu-Lglが大きい場合、ハイライト部（Lw〜Lgu）とシャドウ部（Lgl〜Lk）を除く、無彩色信号のほとんどは好ましい色度値で再現される。なお、白色点W近傍のハイライト部および黒色点K近傍のシャドウ部をグレイ点Ｇの色度に変換すると、明度に対する色度の変化率が大きくなる。その結果、ハイライト部およびシャドウ部の色度変化によっては、グラデーションを有する画像などにおいて、観察者が色の変化を感じることがある。
【００４４】
そこで、図4の明度点902、908に示すように、ハイライト部およびシャドウ部における色度を、白色点Wまたは黒色点Kとグレイ点Gの間に設定することで、色度の変化を制限して、色の変化を抑制する。つまり、図4に示すハイライト部の明度点902と、図3に示す白色点Wとグレイ点Gを結ぶ曲線上の色度点802を対応させることによって、白色点Wからグレイ点Gへの色の変化を滑らかにすることができる。同様に、図4に示すシャドウ部の明度点908と、図3に示す黒色点Kとグレイ点Gを結ぶ曲線上の色度点804を対応させることによって、黒色点Kからグレイ点Gへの色の変化を滑らかにすることができる。
【００４５】
このように、ハイライト部およびシャドウ部におけるグレイラインの色度値の設定は、観察者が色の変化をできるだけ感じないように設定する。以上の処理によって、グレイラインの初期値が決定される。
【００４６】
一方、無彩色信号GLは、入力デバイス11の特性や、好ましい階調特性に基づき決定されている。また、入力色域における明度再現範囲と、出力デバイス12の印刷画像の明度L*の再現範囲は異なる。従って、無彩色信号GLの明度（以下、入力明度）L*と、無彩色信号GLに対して出力デバイス12が出力する印刷画像の明度（以下、出力明度）L*は同一の値にはならない。そこで、入力明度と出力明度の対応付けを行う。
【００４７】
階調特性変換部309は、グレイ特性格納部310に格納された入力色空間情報に含まれる入力色域のグレイラインの階調特性、および、色再現域情報に基づき、無彩色信号GLを出力デバイス12に出力した場合に得られる出力明度L*を取得する。そして、無彩色信号GLと出力明度L*の関係をGL初期値格納部311に格納する(S604)。
【００４８】
図7はGL初期値納部311に格納される無彩色信号GLとグレイラインの対応関係を示すテーブルの一例を示す図である。無彩色信号GLの離散的な値（入力明度）に対応する出力明度L*の値が格納される。なお、無彩色信号GLの任意値に対応する出力明度L*は補間演算によって得ることができる。また、無彩色信号GLは8ビット信号であり、GL=255に対応する出力明度L*(Lmax)は紙白の明度（大明度）であり、GL=0に対応する出力明度L*(Lmin)は、出力デバイス12および記録紙によって再現可能な最小明度である。
【００４９】
図8はグレイ設定データ格納部303に格納されるグレイラインの初期値を設定するための設計データを示す図である。
【００５０】
設計データは、出力デバイス12が使用する記録媒体の種類（メディアA、B、…）をパラメータ作成条件として次の設計データを含む。各メディアにおける中間明度範囲（グレイ重心明度範囲）、中間明度範囲におけるグレイ点Gの彩度（グレイ重心値）、ハイライト設計データ、および、シャドウ設計データ。なお、設計データは、出力デバイス12の種類ごとに異なる。
【００５１】
設計データの明度領域を分割するための中間明度部（グレイ重心明度範囲）には、境界明度値LguとLglに対応するL1とL2が定義され、グレイ重心値には、グレイ点Gの色度値(a1, b1)が定義される。また、ハイライト設計には、グレイ軌跡を示すL*a*b*値L3a3b3、L4a4b4、L5a5b5が定義され、シャドウ設計には、グレイ軌跡を示すL*a*b*値L6a6b6、L7a7b7、L8a8b8が定義される。
【００５２】
なお、グレイラインを設定する際の明度値は、明度の絶対値、または、白色点Wと黒色点Kの明度の絶対値に対して正規化された明度値の何れを用いてもよい。グレイラインの設定において正規化された明度値を用いた場合は、最終的に、明度の絶対値に変換すればよい。
【００５３】
あるいは、明度値または色度座標値を算出するモデル式を、設計データとして定義してもよい。中間明度部（グレイ重心明度範囲）には、境界点Lgu、Lglの計算式Fc(m)を定義する。グレイ重心値には、グレイ点Gの色度値(ag, bg)を算出する計算式Fg(m)を定義する。ここで、mは記録媒体の種類に対応するパラメータであり、少なくとも紙白、黒色点、色再現範囲に関する情報を含む。
【００５４】
また、ハイライト設計およびシャドウ設計には、式(1)(2)に示すような、明度値の入力に対して色度値を出力する計算式を記述する。
(a*, b*) = F1(L)      …(1)
(a*, b*) = F2(L)      …(2)
【００５５】
次に、ハイライト設定部306は、グレイ設定データ格納部303の設計データを参照して、明度範囲設定部304が分割したハイライト部のグレイラインの色度値を設定する(S605)。つまり、ハイライト設計に記載された軌跡をGL初期値納部311のテーブル（図7）のハイライト部に対応する色度値セルに格納する。
【００５６】
同様に、シャドウ設定部307は、設計データを参照して、シャドウ部のグレイラインの色度値を設定する(S606)。つまり、シャドウ設計に記載された軌跡をGL初期値納部311のテーブルのシャドウ部に対応する色度値セルに格納する。なお、ハイライト設計またはシャドウ設計の明度値L*とテーブルの明度値L*が一致しない場合は、補間演算を行い、テーブルの明度値L*に対応する色度値を対応するセルに格納する。
【００５７】
次に、グレイ設定部305は、設計データを参照して、明度範囲設定部304が分割した中間明度部のグレイラインの色度値を設定する(S607)。つまり、グレイ重心値をGL初期値納部311のテーブルの中間明度部の色度値セルに格納する。
【００５８】
●グレイラインの補正
図9は入出力色域とグレイラインの初期値の関係を説明する図で、縦軸に明度をとり、任意の色相断面（LC平面）を示している。
【００５９】
出力色域1202の白色点1203と黒色点1210の間の点1204〜1209を結ぶ曲線はグレイラインの初期値を示す。なお、出力色域1202の最大彩度点から黒色点1210の間のシャドウ領域の境界形状は凹状になっている。また、白色点1203に基づく、好ましいグレイ点Gの色度は点1205〜1209に対応するものとする。
【００６０】
図9において、各点1205〜1209から等明度方向に延長した線と出力色域1202の境界の交点の間が各明度における彩度再現範囲である。点1205〜1207の明度における彩度再現範囲に比べて、点1208と1209の明度における彩度再現範囲は急激に狭まる。これは、出力色域1202のシャドウ部の境界形状が凹状を示すためである。
【００６１】
つまり、シャドウ領域において、入力色域1201の境界と明度軸の間の入力の彩度再現範囲に対して、出力の彩度再現範囲は狭まる。その上、グレイ点Gの色度によっては、グレイラインが出力色域1202の中央ではなく、出力領域1202の境界に偏る。そのため、ある色相領域では彩度再現範囲が極端に狭まり、ハイライト領域の彩度変化に比べると著しい彩度変化の劣化（縮小）がシャドウ領域で発生する。
【００６２】
そこで、グレイラインの初期値において発生する、シャドウ領域におけるグレイラインの偏りを避けるために、グレイラインを補正する。図10はグレイラインの補正の概要を示す図である。
【００６３】
図10に示すように、グレイラインの初期値において、ある色相領域の彩度再現範囲が極端に狭まる明度に属す点1208と1209の色度値を、黒色点1210と同じ色度値（点1304と1302）に移動（補正）する。この補正によって、シャドウ領域におけるグレイラインの偏りを修正して、彩度再現範囲の極端な縮小を解消する。
【００６４】
図11は出力色域のシャドウ領域において彩度再現が極端に狭まる明度のa*b*面を示す図である。
【００６５】
出力色域1202は黒色点1210をほぼ中心に分布する。初期値においてグレイラインが点1404を通過する場合、グレイラインは出力色域1202の境界側に移動する。その結果、黒色点1210と色域の頂点1408、1409が構成する三角形の面積に比べて、点1404と色域の頂点1408、1409が構成する三角形の面積は小さく、この領域で彩度再現範囲が著しく狭まる。前述したように、点1404の色度値を黒色点1210の色度値に移動すれば、当該領域は黒色点1210と色域の頂点1408、1409が構成する三角形になり、当該領域における彩度再現範囲が著しい狭まりを解消することができる。
【００６６】
図12は彩度再現範囲が著しく狭まる色相における入力彩度と出力彩度の関係を示す図で、横軸が入力彩度、縦軸が出力彩度である。グレイラインの初期値が設定されている場合、入力彩度に対する出力彩度の上限がCout0だとする。
【００６７】
色域マッピングにおいてよく用いられている彩度写像処理は、低彩度域の再現は忠実に行い、所定の彩度値よりも大きい高彩度域は、出力彩度の最大値に向けて非線形圧縮する方法を用いる。従って、図12に示す彩度再現曲線1505の傾きは、入力彩度が高くなるにつれて抑制され、彩度変化がなくなる。
【００６８】
上記のグレイラインの補正を行うと、入力彩度に対する出力彩度の上限はCout1に拡大する。その結果、彩度再現曲線1506に示すように、傾きが抑制されたとしても、補正前よりも大きな彩度変化を得ることができる。つまり、シャドウ領域における彩度再現範囲の極端な縮小を解消することができる。
【００６９】
図13はグレイラインの補正を説明するフローチャートである。
【００７０】
グレイ補正パラメータ作成部208は、色域形状解析部207が解析した入力色域と出力色域の形状（境界面の情報）を取得して、境界データ格納部314に格納する(S611)。
【００７１】
次に、彩度再現評価部312は、GL初期値格納部311からグレイラインの初期値を取得し、境界データ格納部314から出力色域の境界面の情報を取得する。そして、シャドウ領域におけるグレイラインの初期値の各点の明度について、各色相における彩度再現範囲を評価する。また、シャドウ領域におけるグレイラインの初期値の各点の色度値を黒色点の色度値に移動した場合についての彩度再現範囲も評価する(S612)。
【００７２】
次に、グレイ補正設定部313は、彩度再現評価部312の評価結果に基づき、グレイラインの初期値の補正範囲である明度範囲を決定する(S613)。そして、詳細は後述するが、決定した明度範囲におけるグレイラインの初期値の各点の色度値を黒色点の色度値に近付けるように補正して、補正したグレイラインのテーブル（図7と同じ構成をもつ）を補正GL格納部316に格納する(S614)。
【００７３】
次に、グレイ補正パラメータ算出部308は、補正GL格納部316のテーブルを参照して、グレイラインの写像目標座標を算出し、グレイ補正パラメータ格納部209に格納する(S615)。
【００７４】
次に、補正グレイ設定データ生成部315は、補正GL格納部316のテーブルを参照して、補正グレイラインに対応する設計データを生成し、グレイ設定データ格納部303に格納する(S616)。
【００７５】
図14は補正グレイラインに対応する設計データを説明する図である。図14において、下線を付して示すのが、追加された項目およびデータ、並びに、修正されたデータである。つまり、中間明度部（グレイ重心明度範囲）の境界明度LglをLgl'（L2をL2'）に修正し、補正前のシャドウ領域のグレイラインの軌跡をシャドウ補正として記述する。
【００７６】
この後、上述したように、色域写像部210は、グレイ設定データ格納部303に格納されたグレイラインの写像目標座標（写像目標パラメータ）に基づき、入力色域の色信号を出力色域の色信号に写像する写像パラメータを計算する。色域写像部210は、写像パラメータの算出が終了すると、入力色域を出力色域に写像する。その際、有彩色信号については、グレイラインの写像結果に対して疑似輪郭などの階調特性や色再現に関する不具合が生じないように、色空間全体における写像処理を行う。
【００７７】
プロファイル作成部211は、色域写像部210による写像結果の写像色域を参照して、入力色域を出力色域に変換するプロファイルを作成して、プロファイル記憶部212へ格納する。
【００７８】
●彩度再現評価
図15は彩度再現評価部312による彩度再現の評価方法を説明する図で、出力色域160のある色相におけるLC平面を示している。明度値Lcmaxは、最大彩度値Cmaxに対応し、明度1604、1605と明度が下がるに従い、出力色域1601の境界は凹む。
【００７９】
彩度再現評価部312は、出力色域1601における最大彩度値に基づき、シャドウ領域の彩度再現の凹部をほぼ線形にする仮想色域1602を設定する。
【００８０】
図16は横軸に明度、縦軸に彩度をとり、Lcmaxから黒色点の明度Lkの範囲において、グレイラインの初期値と出力色域1601の境界の距離ΔCを示す図である。つまり、曲線1702は出力色域1601における彩度再現を表し、曲線1701は仮想色域1602における彩度再現を表す。
【００８１】
彩度再現評価部312は、仮想色域1701の彩度再現範囲に対する出力色域1702の彩度再現範囲の割合に基づき、出力色域1702の彩度再現が急峻に縮小する明度値th2を決定する。例えば、上記の割合が所定値以下になる明度値をth2とする。また、明度値th1は、グレイラインの初期値における中間明度部（グレイ重心明度範囲）とシャドウ部の境界点Lglに相当する。
【００８２】
彩度再現評価部312は、明度値th2における出力色域について、図12に示すように、グレイラインの初期値における彩度再現範囲を評価し、シャドウ領域にグレイラインの初期値の各点の色度値を黒色点の色度値に移動した後の彩度再現範囲を評価する。その際、例えば、曲線1701と1702が囲む面積、または、明度値th2における上記の割合を評価値として、主要なプライマリ色相（一次色の色相）を含む複数の色相において評価値を算出する。
【００８３】
●グレイ補正
グレイ補正設定部313は、彩度再現評価部312による評価値を総合して、グレイラインの初期値に対して色度値を黒色点の色度値に補正すべき明度範囲を決定する。
【００８４】
図17は横軸に明度、縦軸に彩度をとり、Lcmaxから黒色点の明度Lkの範囲において、黒色点の彩度Ckと各グレイ再現点の彩度の距離ΔCgを示す図である。曲線1801は、グレイラインの初期値における距離ΔCgを示す。明度値th1は、グレイラインの初期値における中間明度部（グレイ重心明度範囲）とシャドウ部の境界点Lglに相当する。明度値th3は、グレイ補正設定部313によって決定される、色度値を黒色点の色度値に補正すべき明度範囲の上限明度値を示す。言い換えれば、色度値の補正は、明度値th3から黒色点の明度値Lkの範囲で行われる。グレイ再現点の色度値の補正は、原理的には曲線1803に示すようになる。しかし、グレイ補正設定部313は、ΔCgの急激な変化を避けるため、曲線1802に示すように、ΔCgの変化が滑らかになるように補正を行う。
【００８５】
図18はグレイラインの補正結果を示す図である。グレイラインの初期値1901に対して、明度値th3近傍からグレイ再現点の色度値の補正を開始し、黒色点Kよりのグレイ再現点の色度値を黒色点の色度値に一致させる。
【００８６】
［プロファイル作成処理］
図19は上記の一連のプロファイル作成処理の手順の概要を示すフローチャートであり、写像パラメータ作成部201とプロファイル作成部202による処理を示している。
【００８７】
写像パラメータ作成部201は、入力色域の情報と、出力色域の情報を取得し(S1001)、記録媒体の種類に応じたグレイラインの設計データを取得し(S1002)、グレイラインの初期値を設定する(S1003)。そして、出力色域の境界を解析し(S1004)、解析した色域境界とグレイラインの初期値に基づき、主要な色相における彩度再現性を解析する(S1005)。
【００８８】
次に、写像パラメータ作成部201は、出力色域の彩度再現性に基づき、グレイラインの初期値のシャドウ領域におけるグレイ再現点の色度を補正する明度範囲を決定する(S1006)。そして、黒色点Kの色度値に基づき、決定した明度範囲のグレイ再現点の色度値を補正する(S1007)。さらに、補正後のグレイラインに基づき、グレイ補正パラメータを計算し(S1008)、グレイ補正パラメータをグレイ補正パラメータ格納部209に格納する(S1009)。
【００８９】
グレイ補正パラメータの作成が終了すると、プロファイル作成部202は、グレイ写像パラメータに基づきグレイラインの写像を行うとともに、有彩色に関して入力色域を出力色域に写像してプロファイルを作成する(S1010)。そして、プロファイルをプロファイル記憶部212に格納する(S1011)。
【００９０】
このように、入力色信号を出力色信号へ変換する色処理におけるグレイの再現について、グレイの再現目標を決定する。そして、紙白から黒色点の間の明度変化において、好ましいグレイ点Gを再現すべき中間明度部を決定する。中間明度部以外のハイライト部およびシャドウ部は、白色点Wまたは黒色点Kとグレイ再現点の間の色度変化が滑らかになるように、グレイラインを決定する。さらに、出力色域の形状を解析し、黒色点の色度値に基づき、シャドウ領域におけるグレイ再現点の色度値を補正して、シャドウ領域における彩度再現範囲の縮小（減退）を補正する。このようにして作成したグレイラインによれば、出力色域のシャドウ領域において、良好なグレイ再現が得られ、彩度再現範囲の縮小を防ぐことができる。
【実施例２】
【００９１】
以下、本発明にかかる実施例2の色処理を説明する。なお、実施例2において、実施例1と略同様の構成については、同一符号を付して、その詳細説明を省略する。
【００９２】
［処理］
実施例2の画像処理部105は、グレイラインの補正処理において、UIを介して取得されるユーザの好みを反映したグレイラインの調整を可能にする。なお、ユーザの好みの反映は、グレイラインの初期値を設定した後に行う。
【００９３】
図20は実施例2における一連のプロファイル作成処理の手順の概要を示すフローチャートであり、写像パラメータ作成部201とプロファイル作成部202による処理を示している。なお、図19に示す実施例1と略同様の処理は同一符号を付して、その詳細説明を省略する。
【００９４】
写像パラメータ作成部201は、グレイ再転点の色度を補正する明度範囲を決定(S1006)した後、決定した明度範囲をCPU101を介してUIに表示し(S1107)、グレイラインの初期値に対する補正対象範囲を表示する。そして、CPU101を介して、補正対象範囲におけるグレイ再現点の色度値の補正量（黒色点Kの色度値に対応する）、グレイ再現点の座標値のユーザ指示を入力する(S1108)。以降の処理は、図19に示す実施例1の処理と同様である。
【００９５】
［UI］
図21はグレイラインの補正処理およびプロファイルの作成処理を指示するUIの一例を示す図である。
【００９６】
ユーザは、入力色域の情報を格納したファイルのパス名を、入力色域データテキストボックス2102に入力、または、参照ボタン2106を使用して選択する。出力色域の情報を格納したファイルのパス名を、出力色域データテキストボックス2103に入力、または、参照ボタン2107を使用して選択する。グレイラインの設計データのパス名を、クレイ設計初期値データテキストボックス2104に入力、または、参照ボタン2108を使用して選択する。以上のファイルおよびデータのパス名を入力または選択した後、ユーザは、グレイ設計データ作成ボタン2105を押して、グレイラインの初期値の補正処理の開始を指示する。
【００９７】
また、ユーザは、補正後のグレイ設計データの保存先のパス名を、グレイ設計データテキストボックス2109に入力、または、参照ボタン2112を使用して選択する。プロファイルの保存先のパス名を、色補正プロファイルテキストボックス2110に入力、または、参照ボタン2113を使用して選択する。以上のファイルおよびデータのパス名をを入力または選択した後、ユーザは、色補正プロファイル作成ボタン2111を押して、プロファイルの作成処理の開始を指示する。
【００９８】
図22は出力色域を設定するためのダイアログの一例を示す図で、グレイ設計データ作成ボタン2105が押された後に表示される。
【００９９】
ユーザは、出力機器指定リストボックス2203により、出力デバイス12の種類を選択（指定）し、出力媒体指定リストボックス2204により、出力デバイス12が使用する記録媒体の種類を選択（指定）する。指定が終了すると、ユーザは、OKボタン2206を押す。
【０１００】
●グレイ再現点の明度調整UI
図23はグレイ再現点の明度を調整するUIの一例を示す図である。このUIを使用して、ユーザは、グレイラインの補正処理における補正量を任意に設定することができる。
【０１０１】
図23において、グレイ設定表示部2302は、LC平面における入力色域の境界2305、出力色域の境界2306、グレイラインの初期値に対応するグレイ再現点2311、グレイラインの補正結果に対応するグレイ再現点2312を表示する。さらに、グレイラインの初期値におけるハイライト部の境界明度2307、シャドウ部の境界明度2308、グレイ再現点の補正明度範囲の上限（以下、グレイ補正境界明度）2309を表示する。ユーザは、グレイ設定表示部2302においては、グレイ補正境界明度ポインタ2310を移動することにより、グレイ補正境界明度を操作（設定）することができる。
【０１０２】
明度境界設定部2303は、上記の境界明度を表示するテキストボックス2313〜2315とリセットボタン2316〜2318を備える。さらに、上記の境界明度をスライドバー状に表示する。境界明度設定スライドバー2321の白色点Wと黒色点Kの間には、グレイラインの初期値におけるシャドウ部の境界明度バー2326、グレイ補正境界明度バー2325、ハイライト部の境界明度バー2322が表示される。
【０１０３】
ユーザは、シャドウ部の境界明度ポインタ2329、および、グレイ補正境界明度ポインタ2328を、グレイ補正推奨範囲2327内で移動して、シャドウ部の境界明度およびグレイ補正境界明度を設定することができる。また、ユーザは、ハイライト部の境界明度ポインタ2324を、ハイライト部推奨範囲2323内で移動して、ハイライト部の境界明度を設定することができる。なお、初期の中間明度部2321内には、境界明度を移動することはできない。
【０１０４】
このようなポインタを用いた境界明度の移動に伴い、テキストボックス2313〜2315に表示される数値も変更される。逆に、テキストボックス2313〜2315に数値を入力すると、境界明度バー2326〜2322の表示位置が変更される。勿論、グレイ設定表示部2302の境界明度2307〜2309の表示位置も変更される。さらに、境界明度ポインタ2324、2328、2329を操作すると、グレイ設定表示部230に表示されるグレイラインの写像後の座標が再算出され、グレイ再現点2312の表示位置が更新される。
【０１０５】
彩度再現部2304は、ユーザがグレイ設定表示部2302と明度境界設定部2303を使用して設定したグレイラインの補正結果について、グレイラインと色域境界の間の彩度再現性を評価値を表示する。ユーザは評価値を参照して、グレイラインの調整を行うことができる。
【０１０６】
彩度再現部2304のラジオボタン2330〜2333は、グレイ設定表示部2302に表示するLC面の色相を設定するためのボタンである。R-Cボタン2330は赤-シアン色相を、G-Mボタン2331は緑-マゼンタ色相を、B-Yボタンは青-イエロー色相を選択する。また、ボタン2333は任意色相を設定するためのボタンで、ユーザは任意色相テキストボックス2334に表示すべきLC平面の色相を入力する。
【０１０７】
明度テキストボックス2335には、彩度再現性を評価する明度範囲を入力する。彩度再現表示部2336、2337はそれぞれ、設定された各色相と明度における彩度再現性の評価結果をグレイスケール表示する。彩度再現性の評価結果が、グレイラインの初期値に比べて劣化した領域は、符号2338で示すように、注意領域（またはエラー領域）として表示する。ユーザは、彩度再現表示部2336、2337における各色相の評価結果および注意領域の表示に基づき、グレイラインの調整を行うことができる。
【０１０８】
●グレイ再現点の座標調整UI
図24はグレイ再現点の座標を調整するUIの一例を示す図である。このUIを使用して、ユーザは、グレイラインの補正処理におけるグレイ再現点の位置を任意に設定することができる。
【０１０９】
ユーザは、グレイ再現点の明度調整UIにおける明度再現点の明度調整に連動して、グレイ再現点の座標調整UIを使用して、グレイ再現点の座標を調整することができる。
【０１１０】
グレイライン座標表示部2404は、グレイ再現点の明度調整UIにおいて調整されたグレイラインの各ポイントを表示する。設計モードを選択するラジオボタンには、グレイラインの初期値の表示を選択する通常設計モードボタン2402、グレイラインの補正結果の表示を選択する色域形状対応設計モードボタン2403がある。ラジオボタンを選択して、グレイライン座標表示部2404の表示を切り替えることができる。
【０１１１】
グレイライン座標表示部2404において、グレイラインの各ポイントは、無彩色信号GLとグレイラインの対応関係を示すテーブル（図7）の各点に対応し、各点における明度値、色度および彩度再現性の評価結果が表示される。図24においては、点G4の彩度再現性の評価がNGであり、点G4の明度における、何れかの色相において彩度再現性の劣化が発生したことを示している。
【０１１２】
彩度圧縮表示部2406は、グレイラインの初期値、グレイラインの補正結果、および、ユーザによるグレイラインの調整結果における彩度圧縮状態を、図12に示した入力彩度と出力彩度の関係を示す図と同様の方法で表示する。ラジオボタン2416、2417によって表示色相を選択し、ラジオボタン2418、2149によってグレイラインの初期値対ユーザの調整結果、または、グレイラインの補正結果対ユーザの調整結果を選択的に表示する。
【０１１３】
色度座標表示部2407は、a*b*平面にグレイラインの各ポイントの色度値を表示する。
【０１１４】
ユーザは、個別調整部2405を使用して、グレイライン座標表示部2404に表示された各ポイントの座標値を個別に調整することができる。格子点リストボックス2409に調整点を入力するか、リストボタン2410によりリストを表示して調整点を選択する。明度テキストボックス2411、色度a*テキストボックス2412、色度b*テキストボックス2413は、格子点リストボックス2409によって指定された点の座標値を表示する。ユーザは、テキストボックス2411〜2413に値を入力し、設定ボタン2414を押すことで、調整点の座上値を決定する。なお、リセットボタン2415によって、調整点の値を元の値に復元することができる。
【０１１５】
ユーザは、グレイラインの設計データを保存するファイルのパス名を、グレイ設計データ格納テキストボックス2420に入力、または、参照ボタン2421によって選択し、保存ボタン2422を押して、グレイラインの設計データを保存する。
【０１１６】
●結果確認UI
図25はグレイラインの設定結果、補正結果および調整結果を確認するUIの一例を示す図である。
【０１１７】
ユーザは、図25に示すUIの表示、必要ならばテストプリントによってグレイラインの設定結果（初期値）による再現画像、グレイラインの補正結果による再現画像、グレイラインの調整結果による再現画像を確認および比較することができる。
【０１１８】
ユーザは、グレイラインの補正結果および調整結果の確認を行う画像データ（以下、テスト画像）のパス名を、入力画像データテキストボックス2513に入力、または、参照ボタン2514によって選択する。
【０１１９】
入力画像表示部2502はテスト画像（入力画像）を表示し、処理画像表示部2503と2508はテスト画像を出力デバイス12によって印刷した場合のプレビュー画像（処理画像）を表示する。処理画像表示部2503と2508のが表示するプレビュー画像のグレイラインは、ラジオボタン2504〜2506、2509〜2511によって選択することができる。ボタン2504、2509はグレイラインの初期値を選択し、ボタン2505、2510はグレイラインの補正結果を選択し、ボタン2506、2511はグレイラインの調整結果を選択する。
【０１２０】
ユーザは、処理画像表示部2503と2508に表示するプレビュー画像のグレイラインの設定をラジオボタン2504〜2506と2509〜2511によって選択する。その後、補正画像表示ボタン2515を押すと、処理画像表示部2503と2508に選択したグレイラインの設定に応じたプレビュー画像が表示される。さらに、補正領域表示ボタン2507、2512を押すと、プレビュー画像上にグレイラインの補正および調整が及んだ領域2518を示すことができる。領域2518の表示によって、グレイラインの補正・調整による効果を容易に確認することができる。
【０１２１】
また、ユーザは、テストプリントボタン2516、2517を押すことで、処理画像表示部2503、2508に表示されたプレビュー画像に対応する画像を出力デバイス12に印刷させることができる。
【０１２２】
なお、補正結果の確認UIは、グレイ再現点の明度調整UI、グレイ再現点の座標調整UIを使用して調整中であっても、補正・調整結果を表示することができる。ユーザは、所望するグレイラインの調整結果が得られるか否かを確認しながら、グレイラインの調整量を決定することができる。
【０１２３】
このように、グレイラインの補正・調整において、UIを介して、ユーザが意図するグレイラインの調整量を取得する。そして、グレイラインの初期値、グレイラインの補正後、グレイラインの調整後の彩度再現性の評価値を数値、グラフによって表示するとともに、プレビュー画像を表示（必要ならば印刷）する。従って、ユーザは、数値、グラフによる評価値の表示、プレビュー画像を表示（必要ならば印刷）に基づき、グレイラインを適切に調整して、意図する色再現結果を得ることができる。
【０１２４】
［他の実施例］
なお、本発明は、複数の機器（例えばコンピュータ、インタフェイス機器、リーダ、プリンタなど）から構成されるシステムに適用しても、一つの機器からなる装置（例えば、複写機、ファクシミリ装置、制御装置など）に適用してもよい。
【０１２５】
また、本発明の目的は、上記実施例の機能を実現するコンピュータプログラムを記録した記憶媒体をシステムまたは装置に供給し、そのシステムまたは装置のコンピュータ（CPUやMPU）が前記コンピュータプログラムを実行することでも達成される。この場合、記憶媒体から読み出されたソフトウェア自体が上記実施例の機能を実現することになり、そのコンピュータプログラムと、そのコンピュータプログラムを記憶する、コンピュータが読み取り可能な記憶媒体は本発明を構成する。
【０１２６】
また、前記コンピュータプログラムの実行により上記機能が実現されるだけではない。つまり、そのコンピュータプログラムの指示により、コンピュータ上で稼働するオペレーティングシステム(OS)および/または第一の、第二の、第三の、…プログラムなどが実際の処理の一部または全部を行い、それによって上記機能が実現される場合も含む。
【０１２７】
また、前記コンピュータプログラムがコンピュータに接続された機能拡張カードやユニットなどのデバイスのメモリに書き込まれていてもよい。つまり、そのコンピュータプログラムの指示により、第一の、第二の、第三の、…デバイスのCPUなどが実際の処理の一部または全部を行い、それによって上記機能が実現される場合も含む。
【０１２８】
本発明を前記記憶媒体に適用する場合、その記憶媒体には、先に説明したフローチャートに対応または関連するコンピュータプログラムが格納される。
【図面の簡単な説明】
【０１２９】
【図１】実施例の色処理装置の構成例を示すブロック図、
【図２】画像処理部の一部構成を示すブロック図、
【図３】a*b*平面に投影されたグレイラインの軌跡を模式的に示す図、
【図４】L*a*平面に投影されたグレイラインの軌跡を模式的に示す図、
【図５】グレイ補正パラメータ作成部の構成例を示すブロック図、
【図６】グレイラインの初期値の設定を説明するフローチャート、
【図７】GL初期値納部に格納される無彩色信号GLとグレイラインの対応関係を示すテーブルの一例を示す図、
【図８】グレイ設定データ格納部に格納されるグレイラインの初期値を設定するための設計データを示す図、
【図９】入出力色域とグレイラインの初期値の関係を説明する図、
【図１０】グレイラインの補正の概要を示す図、
【図１１】出力色域のシャドウ領域において彩度再現が極端に狭まる明度のa*b*面を示す図、
【図１２】彩度再現範囲が著しく狭まる色相における入力彩度と出力彩度の関係を示す図、
【図１３】グレイラインの補正を説明するフローチャート、
【図１４】補正グレイラインに対応する設計データを説明する図、
【図１５】彩度再現評価部による彩度再現の評価方法を説明する図、
【図１６】グレイラインの初期値と出力色域の境界の距離を示す図、
【図１７】黒色点の彩度と各グレイ再現点の彩度の距離を示す図、
【図１８】グレイラインの補正結果を示す図、
【図１９】一連のプロファイル作成処理の手順の概要を示すフローチャート、
【図２０】実施例2における一連のプロファイル作成処理の手順の概要を示すフローチャート、
【図２１】グレイラインの補正処理およびプロファイルの作成処理を指示するUIの一例を示す図、
【図２２】出力色域を設定するためのダイアログの一例を示す図、
【図２３】グレイ再現点の明度を調整するUIの一例を示す図、
【図２４】グレイ再現点の座標を調整するUIの一例を示す図、
【図２５】グレイラインの設定結果、補正結果および調整結果を確認するUIの一例を示す図である。
【図１】
2009038592.tif 000003
【図２】
2009038592.tif 000004
【図３】
2009038592.tif 000005
【図４】
2009038592.tif 000006
【図５】
2009038592.tif 000007
【図６】
2009038592.tif 000008
【図７】
2009038592.tif 000009
【図８】
2009038592.tif 000010
【図９】
2009038592.tif 000011
【図１０】
2009038592.tif 000012
【図１１】
2009038592.tif 000013
【図１２】
2009038592.tif 000014
【図１３】
2009038592.tif 000015
【図１４】
2009038592.tif 000016
【図１５】
2009038592.tif 000017
【図１６】
2009038592.tif 000018
【図１７】
2009038592.tif 000019
【図１８】
2009038592.tif 000020
【図１９】
2009038592.tif 000021
【図２０】
2009038592.tif 000022
【図２１】
2009038592.tif 000023
【図２２】
2009038592.tif 000024
【図２３】
2009038592.tif 000025
【図２４】
2009038592.tif 000026
【図２５】
2009038592.tif 000027